(57)【要約】【課題】  加熱炉時に溶着した素材を確実に分離し、搬送トラブルを未然に防ぐ溶着素材の分離装置を提供する。【解決手段】  加熱炉で切断された素材を連続的に供給しながら加熱した際に前後方向に溶着した素材を加熱炉出口において分離する装置であって、加熱炉よりも低い高さに位置する搬送コンベア及び加熱炉とコンベアを連結するシュートから構成される素材搬送部分と、溶着した後方の素材先端を支持するローラー及び溶着した前方の素材先端を押下する偏芯カムから構成される溶着素材分離部分を有することを特徴とする。溶着した後方の素材５の先端をローラー１０により支持し、溶着した前方の素材６の先端を偏芯カム１１で押下することにより、素材５と素材６の溶着面を分離する。分離した素材６はシュート８へ落下し、チェーンコンベア７上へ搬送される。【選択図】      図１
2006021207.tif 000002
【特許請求の範囲】
【請求項１】
加熱炉で切断された素材を連続的に供給しながら加熱した際に前後方向に溶着した素材を加熱炉出口において分離する装置であって、加熱炉よりも低い高さに位置する搬送コンベア及び加熱炉とコンベアを連結するシュートから構成される素材搬送部分と、溶着した後方の素材先端を支持するローラー及び溶着した前方の素材先端を押下する偏芯カムから構成される溶着素材分離部分を有することを特徴とする溶着素材の分離装置。
【請求項２】
溶着素材と偏芯カムが接触する位置に溶着素材検出センサーを配置し、ローラーが素材移動方向に対し垂直に移動可能な機構を有し、溶着素材検出センサーとローラーの移動を連動させることを特徴とする請求項１記載の溶着素材の分離装置。
【請求項３】
偏芯カムが素材移動方向に対し平行及び垂直に移動可能な機構を有することを特徴とする請求項１記載の溶着素材の分離装置。
【発明の詳細な説明】
【技術分野】
【０００１】
本発明は、熱間鍛造に用いられる高周波加熱装置における素材溶着の分離装置に係るものである。
【背景技術】
【０００２】
加熱炉で切断された素材を連続的に供給しながら加熱した際、素材同士が溶着し、搬送トラブルを生じることがある。加熱炉と熱間鍛造機は直結しているため、鍛造ライン全体が停止し、生産に支障をきたすことになる。
【０００３】
加熱炉内で溶着した素材を分離する従来技術として、例えば特許文献１、特許文献２が知られている。
【０００４】
特許文献１は、溶着した２つの素材のうち、１番目の素材をストッパーで停止し、２番目の素材を第一クランプ及び第二クランプで左右両側方から保持しつつ側方へずらすことにより、溶着した素材を分離するものである。
【０００５】
また特許文献２は、素材を挟みいずれも独立に駆動されるローラーとチェーンコンベアとからなる搬送装置を加熱炉の出口に設置し、搬送装置の搬送速度を加熱炉内の搬送速度より大きく駆動し、搬送装置の搬送面を加熱炉の搬送面に対し、高さや角度の偏位を持たせることにより、加熱炉内の素材との溶着を分離するものである。
【０００６】
【特許文献１】特開平０８−１７４１３３号公報
【特許文献２】特開平０４−２３６７２０号公報
【発明の開示】
【発明が解決しようとする課題】
【０００７】
しかしながら、特許文献１に開示される溶着分離設備は、設備が複雑かつ大型であり、初期の導入コストが高いという課題を有している。
【０００８】
一方、特許文献２に開示される溶着分離設備は、ローラーとチェーンコンベアで構成される簡単な構造ではあるものの、溶着していない素材に対してもローラーとチェーンコンベアによって搬送されるため、ローラー及びチェーンコンベアは毎回加熱された素材と接触することとなり、ローラー及びチェーンコンベアを冷却する付帯設備が必要である、あるいはローラー及びチェーンブロックの摩耗が早くメンテナンスコストが高い、という課題を有している。
【０００９】
本発明は、上記の点に鑑みてなされたものであり、加熱の際に溶着した素材を簡単な装置で確実に分離する、溶着素材の分離装置を提供するものである。
【課題を解決するための手段】
【００１０】
上記課題を解決するための本発明の要旨は以下のとおりである。
（１）加熱炉で切断された素材を連続的に供給しながら加熱した際に前後方向に溶着した素材を加熱炉出口において分離する装置であって、加熱炉よりも低い高さに位置する搬送コンベア及び加熱炉とコンベアを連結するシュートから構成される素材搬送部分と、溶着した後方の素材先端を支持するローラー及び溶着した前方の素材先端を押下する偏芯カムから構成される溶着素材分離部分を有することを特徴とする溶着素材の分離装置、
（２）溶着素材と偏芯カムが接触する位置に溶着素材検出センサーを配置し、ローラーが素材移動方向に対し垂直に移動可能な機構を有し、溶着素材検出センサーとローラーの移動を連動させることを特徴とする（１）記載の溶着素材の分離装置、
（３）偏芯カムが素材移動方向に対し平行及び垂直に移動可能な機構を有することを特徴とする（１）記載の溶着素材の分離装置、
にある。
【発明の効果】
【００１１】
本発明により、加熱炉で発生する素材溶着を簡単かつ確実に分離できるため、搬送トラブルを未然に防ぎ、安定的な生産が可能となる。
【発明を実施するための最良の形態】
【００１２】
本発明に係わる溶着素材の分離装置は、溶着した前方の素材先端を偏芯カムにより押下し、溶着素材を分離する。分離された素材はシュートへ落下し、コンベアを経由して搬送される。
【００１３】
また、溶着素材と偏芯カムが接触する位置に溶着素材検出センサーを配置し、ローラーが素材移動方向に対し垂直に移動可能な機構を備えることにより、溶着素材検出センサーとローラーの移動及び偏芯カムの回転を連動させるが可能となり、素材溶着した場合のみローラーは加熱された素材と接触することとなり、ローラーの摩耗が軽減される。
【００１４】
更に、偏芯カムが素材移動方向に対し平行及び垂直に移動可能な機構を備えることにより、加熱される素材径や長さが変更された場合にも、容易に偏芯カムの位置を変更させることが出来る。
【実施例１】
【００１５】
以下、本発明例に係わる溶着素材の分離装置の実施例を図面に基づいて詳細に説明する。図１は高周波加熱炉及び本発明に係わる溶着素材の分離装置を示す側面図である。
【００１６】
切断された素材４はスキッドレール２上をプッシャー（図示せず）によって移動され加熱される。偏芯カム１１は常時回転しており、素材溶着が発生した場合、溶着した後方の素材５の先端はローラー１０により支持され、溶着した前方の素材６の先端は偏芯カム１１で押下される。これにより、素材５と素材６の溶着面に曲げによる引張応力が作用し、素材５と素材６は分離する。分離した素材６はシュート８へ落下し、チェーンコンベア７上へ搬送され、次工程へ搬送される。なお、素材溶着が発生しなかった場合には、素材４は加熱炉１を出た後、直接シュート８へ落下する。
【００１７】
溶着した前方の素材６の先端と偏芯カム１１が接触する位置に溶着素材検出センサー（図示せず）を設置し、ローラー１０が素材移動方向に対し垂直に移動可能な機構（図示せず）を備えることも可能である。この場合、通常、ローラー１０は加熱された素材とは接触しない位置にセットされ、溶着素材検出センサーが素材を検出した際に、溶着した後方の素材５の先端を支持させるようローラー１０を素材移動方向に対し垂直に移動させることが可能となる。この場合、ローラー１０は、溶着が発生した場合のみ高温に加熱された素材５と接触することになり、ローラー１０の冷却装置が不要となり、また摩耗も著しく軽減される。なお、溶着素材検出センサーと偏芯カム１１の回転を連動させることも可能である。
【００１８】
更に、偏芯カム１１が素材移動方向に対し平行及び垂直に移動可能な機構（図示せず）を備えることも可能である。偏芯カムの位置を変更させることにより、加熱される素材径や長さが変更された場合にも、容易に溶着した素材を分離することが出来る。
【図面の簡単な説明】
【００１９】
【図１】溶着素材の分離装置を示す側面図である。
【符号の説明】
【００２０】
２…スキッドレール
４…素材
５…溶着した後方の素材
６…溶着した前方の素材
７…チェーンコンベア
８…シュート
１０…ローラー
１１…偏芯カム
【図１】
2006021207.tif 000003